(57)【要約】【課題】タッチパネルの一部が故障したときに交換部品の手配等を必要とせず、直ぐに操作可能な状態にしてエレベータの運転を継続する。【解決手段】かご呼び登録装置５は、タッチパネルを備えた操作部１２の表示面を第１の表示面と第２の表示面に２分割し、上記第１または第２の表示面に操作ボタンを表示する表示制御部１３と、上記第１または第２の表示面に表示された上記操作ボタンの入力検出領域に利用者が触れたことを検出する操作検出部１４と、操作検出部１４によって検出された上記操作ボタンに対応した入力処理を行う入力処理手段１５とを有する。表示制御部１３は、特定の操作があったときに、上記第１または第２の表示面に表示されていた上記操作ボタンを他方の表示面に表示すると共に、その他方の表示面に上記操作ボタンの入力検出領域を再設定する。【選択図】図１
2014051387.tif 000002
【特許請求の範囲】
【請求項１】
エレベータの所定の場所に設置され、操作手段としてタッチパネルを備えたエレベータの呼び登録装置において、
上記操作手段の表示面を第１の表示面と第２の表示面に２分割し、上記第１または第２の表示面に操作ボタンを表示する表示制御手段と、
この表示制御手段によって上記第１または第２の表示面に表示された上記操作ボタンの入力検出領域に利用者が触れたことを検出する操作検出手段と、
この操作検出手段によって検出された上記操作ボタンに対応した入力処理を行う入力処理手段とを具備し、
上記表示制御手段は、
特定の操作があったときに、上記第１または第２の表示面に表示されていた上記操作ボタンを他方の表示面に表示すると共に、その他方の表示面に上記操作ボタンの入力検出領域を再設定することを特徴とするエレベータの呼び登録装置。
【請求項２】
上記操作手段は、
上記所定の場所に設置されたフェースプレートに上記第１または第２の表示面だけを露出させて上下入れ替え可能に支持され、
上記操作手段の上下の入れ替えにより、上記第１の表示面と上記第２の表示面との分割線の中点を対称点として点対称の関係になるように上記操作ボタンが表示されることを特徴とする請求項１記載のエレベータの呼び登録装置。
【請求項３】
上記操作手段の上記第１または第２の表示面に保守用検出領域が非表示で設定されており、
上記表示制御手段は、
上記保守用検出領域に対する接触操作を検出したときに、上記操作ボタンおよび上記入力検出領域の入れ替えを行うことを特徴とする請求項１記載のエレベータの呼び登録装置。
【請求項４】
上記操作手段の上記第１または第２の表示面に第１および第２の保守用検出領域が非表示で設定されており、
上記表示制御手段は、
上記第１の保守用検出領域に対する接触操作を検出した後、所定の時間内で上記第２の保守用検出領域に対する接触操作を検出したときに上記操作ボタンおよび上記入力検出領域の入れ替えを行うことを特徴とする請求項１記載のエレベータの呼び登録装置。
【請求項５】
上記所定の場所は、エレベータの乗りかご内または各階の乗場を含むことを特徴とする請求項１記載のエレベータの呼び登録装置。
【発明の詳細な説明】
【技術分野】
【０００１】
本発明の実施形態は、乗りかご内や乗場に設置されるエレベータの呼び登録装置に関する。
【背景技術】
【０００２】
エレベータの乗りかご内には、利用者が自分の行先階を登録するための「行先階登録装置」と呼ばれる操作パネルが設置されている。この「行先階登録装置」は、利用者が登録した行先階をかご呼びとして制御装置に送ることから「かご呼び登録装置」とも言う。一方、乗場には、行先方向（上方向または下方向）を登録するための「行先方向登録装置」と呼ばれる操作パネルが設置されている。この「行先方向登録装置」は、利用者が登録した行先方向を乗場呼びとして制御装置に送ることから「乗場呼び登録装置」とも言う。
【０００３】
これらの呼び登録装置は、複数のボタンが設けられた押しボタン式が一般的であったが、近年ではタッチパネル式を採用したものが実用化されている。タッチパネル式の呼び登録装置は、タッチパネルの表示面上にサービス可能な階床ボタンの画像や、行先方向を示す△や▽などのボタンの画像を表示し、これらのボタン画像に利用者が触れたことを検出して、該当する信号をエレベータの制御装置に伝送する。タッチパネル式の呼び登録装置は、建物毎に異なるサービス階数に合わせてボタンを表示でき、さらに、ボタンのデザインや配置などの変更が容易などの利点がある。
【０００４】
現在、タッチパネルの方式として、抵抗膜方式が多く採用されている。この抵抗膜方式は廉価であるが、耐久性や打鍵寿命が低い欠点がある。操作面のフィルムが変形したり、割れたりなどの物理的な傷を受けた場合にその部分の操作機能が失われ、部品交換を必要とする。その間、エレベータが利用できない状況が続くため、利用者に多大な不便を強いることになる。
【０００５】
このような故障時の対応を迅速に行えるようにする提案として、例えば高機能タイプと通常機能タイプといった２種類の操作パネルを用意しておき、高機能タイプの操作パネルが故障としたときに、通常機能タイプの操作パネルで代用することなどが考えられている。
【先行技術文献】
【特許文献】
【０００６】
【特許文献１】特開２００８−１５０１７１号公報
【発明の概要】
【発明が解決しようとする課題】
【０００７】
しかしながら、上述した方法では、通常機能タイプの操作パネルを使用している間は本来高機能タイプの操作パネルで利用できた機能が使えなくなるので、利用者の不便を回避することはできない。また、２種類の操作パネルを設置しておくためのスペースも必要となる。
【０００８】
本発明が解決しようとする課題は、タッチパネルの一部が故障したときに交換部品の手配等を必要とせず、直ぐに操作可能な状態にしてエレベータの運転を継続することのできるエレベータの呼び登録装置を提供することである。
【課題を解決するための手段】
【０００９】
本実施形態に係るエレベータの呼び登録装置は、エレベータの所定の場所に設置され、操作手段としてタッチパネルを備えたエレベータの呼び登録装置において、上記操作手段の表示面を第１の表示面と第２の表示面に２分割し、上記第１または第２の表示面に操作ボタンを表示する表示制御手段と、この表示制御手段によって上記第１または第２の表示面に表示された上記操作ボタンの入力検出領域に利用者が触れたことを検出する操作検出手段と、この操作検出手段によって検出された上記操作ボタンに対応した入力処理を行う入力処理手段とを具備する。
【００１０】
上記表示制御手段は、特定の操作があったときに、上記第１または第２の表示面に表示されていた上記操作ボタンを他方の表示面に表示すると共に、その他方の表示面に上記操作ボタンの入力検出領域を再設定する。
【図面の簡単な説明】
【００１１】
【図１】図１は一実施形態に係るエレベータの構成を示す図である。
【図２】図２は同実施形態におけるかご呼び登録装置の操作部の表示例を示す図である。
【図３】図３は同実施形態におけるかご呼び登録装置の構造を示す図であり、図３（ａ）はかご呼び登録装置を正面から見た図、同図（ｂ）はかご呼び登録装置を側面から見た図である。
【図４】図４は同実施形態におけるかご呼び登録装置に搭載された制御装置の処理を示すフローチャートである。
【図５】図５は同実施形態におけるかご呼び登録装置の操作部の表示面に設定される保守用検出領域の別の例を示す図である。
【図６】図６は同実施形態におけるかご呼び登録装置の操作部の表示面に表示されるガイダンスの一例を示す図である。
【発明を実施するための形態】
【００１２】
以下、図面を参照して実施形態を説明する。
【００１３】
図１は一実施形態に係るエレベータの構成を示す図である。
【００１４】
建物の各階の乗場に設置された乗場ドア１の近傍に乗場呼び登録装置２が設置されている。なお、図１では、１階に設置された乗場ドアと乗場呼び登録装置を乗場ドア１−１、乗場呼び登録装置２−１で示し、２階に設置された乗場ドアと乗場呼び登録装置を乗場ドア１−２、乗場呼び登録装置２−２で示している。
【００１５】
各階の乗場呼び登録装置２は、エレベータ制御装置７と伝送ケーブル３を介して接続されている。この乗場呼び登録装置２は、利用者が所定の操作により登録した乗場呼びをエレベータ制御装置７に送信する機能を備える。また、この乗場呼び登録装置２は、エレベータ制御装置７からかご位置や走行方向などのエレベータの運行情報を受信して表示する機能を備える。
【００１６】
一方、利用者が乗車する乗りかご４には、かご呼び登録装置５が設置されている。かご呼び登録装置５は、テールコード６と呼ばれる可動式ケーブル内の伝送線を介してエレベータ制御装置７と接続されている。このかご呼び登録装置５は、利用者が所定の操作により登録したかご呼びをエレベータ制御装置７に送信する機能を備える。また、この乗場呼び登録装置５は、エレベータ制御装置７からかご位置や走行方向などのエレベータの運行情報を受信して表示する機能を備える。
【００１７】
なお、「乗場呼び」とは、各階の乗場に設置された乗場呼び登録装置２の操作により登録される呼びの信号のことであり、登録階と行先方向の情報を含む。「かご呼び」とは、乗りかご４内に設けられたかご呼び登録装置５の操作により登録される呼びの信号のことであり、行先階の情報を含む。
【００１８】
エレベータ制御装置７は、図示せぬ機械室あるいは昇降路内に設置されており、エレベータ全体の運転制御を行う。このエレベータ制御装置７は、乗場呼び登録装置２から乗場呼びを受信すると、その乗場呼びが登録された階に乗りかご４を応答させる制御を行う。また、このエレベータ制御装置７は、かご呼び登録装置５からかご呼びを受信すると、そのかご呼びに含まれる利用者の行先階に乗りかご４を移動させる制御を行う。
【００１９】
ここで、本実施形態において、乗場呼び登録装置２とかご呼び登録装置５の操作パネルとしてタッチパネルが用いられており、利用者がそのタッチパネルの表示面上に表示された操作ボタンに触れることで呼びを登録可能な構成になっている。
【００２０】
以下では、かご呼び登録装置５を例に説明するが、乗場呼び登録装置２でも同様の構成である。
【００２１】
かご呼び登録装置５は、インジケータ１１と、操作部１２と、表示制御部１３と、操作検出部１４と、入力処理部１５とで構成される。
【００２２】
インジケータ１１は、液晶ディスプレイや７セグＬＥＤなどからなる表示装置からなり、乗りかご４の現在位置（階床数）や走行方向などのエレベータの運行情報などを表示する。
【００２３】
操作部１２は、表示機能付きのタッチパネルからなる。すなわち、この操作部１２は、ＬＣＤ１２ａとタッチパネル１２ｂとで構成され、ＬＣＤ１２ａの画面上に透明のタッチパネル１２ｂを配置して表示と入力の両方の機能を併せ持つ。なお、タッチパネル１２ｂの方式として、例えば抵抗膜方式や静電容量方式などが用いられる。これらの方式については周知であるため、ここではその詳しい説明は省略する。
【００２４】
操作部１２の表示面には、利用者が行先階を入力するための階床ボタンの他、戸開ボタンや戸閉ボタンなどの操作ボタンが表示される。これらの操作ボタンに利用者が触れることによって行先階の登録やドアを開閉できる。
【００２５】
表示制御部１３は、インジケータ１１に対して運行情報の表示を行う。また、表示制御部１３は、操作部１２の表示面に対して操作ボタンの表示を行う。詳しくは、表示制御部１３は、操作部１２の表示面を第１の表示面と第２の表示面に２分割し、第１または第２の表示面に操作ボタンを表示する。
【００２６】
操作検出部１４は、操作部１２の表示面に表示された操作ボタンの入力検出領域に利用者が触れたことを検出する。入力処理部１５は、操作検出部１４によって検出された操作ボタンに対応した入力処理を行う。例えば、利用者が触れた操作ボタンが階床ボタンであった場合には、その階床ボタンに対応した階を行先階としたかご呼びをエレベータ制御装置７に送信する。
【００２７】
エレベータ制御装置７は、そのかご呼びを行先階として登録し、乗りかご４を当該行先階に向かって走行させると共に、呼びが登録処理されたことを入力処理部１５に返信する。入力処理部１５は、かご呼びが登録処理されたことを表示制御部１３に通知し、表示制御部１３では、かご呼びが登録処理されたことを利用者が認識できるように、当該行先階の階床ボタンの色を変化させるなどの表示変更を行う。
【００２８】
なお、表示制御部１３、操作検出部１４、入力処理部１５は、マイクロコンピュータによって実現され、１つの制御装置１６としてユニット化されている。また、ボタン表示や入力検出領域などの操作画面に関する設定情報は制御装置１６内の図示せぬ不揮発性メモリに記憶され、電源を切り入りしても直前のボタン表示や入力検出領域の状態を継続できる。
【００２９】
図２はかご呼び登録装置５の操作部１２の表示例を示す図である。
【００３０】
操作部１２の表示面は、第１の表示面２１と第２の表示面２２とに上下に２分割されている。第１の表示面２１と第２の表示面２２に表示される操作ボタンの種類は同じであり、第１の表示面２１と第２の表示面２２との分割線の中点を対称点として点対称に配置される。このように配置すると、操作部１２の上下を逆にして２つの表示面２１，２２の位置が入れ替わっても、操作ボタンの配置は入れ替え前と同じで変わらないため、利用者が戸惑うことがない。
【００３１】
図２の例では、第１の表示面２１の所定の位置に階床ボタン２３、戸開ボタン２４、戸閉ボタン２５の画像が表示されており、これらのボタン２３，２４，２５の表示位置に合わせてタッチパネル１２ｂの入力検出領域が設定されている。
【００３２】
利用者が指で階床ボタン２３に接触すると、その接触した階床ボタン２３に対応した階が行先階として登録され、その行先階の情報を含んだかご呼びがエレベータ制御装置７に送られる。また、戸開ボタン２４と戸閉ボタン２５は図示せぬかごドアの開閉動作を制御するための操作ボタンであり、階床ボタン２３と同様に利用者が指で接触することで動作する。
【００３３】
ここで、エレベータの運転中は、操作部１２の第１の表示面２１と第２の表示面２２のうちの一方の表示面のみを露出させ、他方の表示面は利用者から見えない状態にある。なお、かご呼び登録装置５の構造については、後に図３を用いて詳しく説明する。
【００３４】
今、第１の表示面２１が操作画面として露出されており、第２の表示面２２は隠されているものとして説明する。このとき、第２の表示面２２にはボタン表示はなされておらず、利用不可の状態である。
【００３５】
第１の表示面２１が操作画面として利用可能な場合に、その第１の表示面２１に表示されたボタン２３，２４，２５の表示領域がタッチパネル１２ｂの入力検出領域となる。これらのボタン２３，２４，２５に触れると、その触れたボタンに対応した信号がエレベータ制御装置７に送信される。すなわち、階床ボタン２３に触れると先階呼び登録信号、戸開ボタン２４に触れると戸開操作信号、戸閉ボタン２５に触れると戸閉操作信号が送信される。これらの信号を受信したエレベータ制御装置７は各信号に対応した処理動作を実施する。
【００３６】
また、この第１の表示面２１には、これらの可視表示されるボタン２３，２４，２５に関連付けられていない入力検出領域が設定されている。これを「保守用検出領域」と呼ぶ。この保守用検出領域は非表示であり、利用可能な表示面（ここでは第１の表示面２１）の所定の部分に設定される。保守用検出領域を非表示とする理由は、一般の利用者が不用意に操作しないようにするためである。本実施形態では、第１の表示面２１の上部左右の角部に２つの保守用検出領域２６ａ，２６ｂが設定されている。
【００３７】
エレベータの保守員が第１の表示面２１の保守用検出領域２６ａ，２６ｂに対して特定の操作を行うと、利用可能な表示面が入れ替わり、第２の表示面２２が操作画面として利用可能な状態となる。すなわち、第２の表示面２２にボタン２７，２８，２９が表示され、これらの表示領域がタッチパネル１２ｂの入力検出領域となる。
【００３８】
第２の表示面２２において、ボタン２７は階床ボタンであり、第１の表示面２１の階床ボタン２３と対応している。ボタン２８は戸開ボタンであり、第１の表示面２１の戸開ボタン２４と対応している。ボタン２９は戸閉ボタンであり、第１の表示面２１の戸閉ボタン２５と対応している。
【００３９】
なお、上記特定の操作は予め定められた手順に従った操作であれば、どのような操作でも良い。本実施形態では、「点検モードを設定したときに、表示面の右側の保守検出領域に触れてから２秒以内に左側の保守検出領域に触れる操作」を特定の操作とする。
【００４０】
図３はかご呼び登録装置５の構造を示す図であり、図３（ａ）はかご呼び登録装置５を正面から見た図、同図（ｂ）はかご呼び登録装置５を側面から見た図である。
【００４１】
かご呼び登録装置５は、樹脂成形や鋼板で作られたフェースプレート１７に各構成部品を取り付ける構造となっている。フェースプレート１７には、図１に示したインジケータ１１、操作部１２、制御装置１６が裏面からアングルなどの取り付け金具を用いて取り付けられている。
【００４２】
また、インジケータ１１および操作部１２の表示面を露出させるためにフェースプレート１７の一部がくりぬかれている。操作部１２を露出させるための穴は、第１の表示面２１および第２の表示面２２のいずれか一方が表示されるだけの大きさ、すなわち操作部１２の表示面全体の半分だけが露出される大きさとなっている。
【００４３】
次に、かご呼び登録装置５に搭載された制御装置１６の処理について説明する。  
図４はかご呼び登録装置５に搭載された制御装置１６の処理を示すフローチャートである。なお、このフローチャートで示される処理はコンピュータである制御装置１６が所定のプログラムを読み込むことにより実行される。
【００４４】
エレベータ制御装置７の運転モードが点検モードに切り替えられたとき（ステップＳ１１のＹｅｓ）、その旨の信号がテールコード６を介してかご呼び登録装置５に送られる。これにより、かご呼び登録装置５に搭載された制御装置１６は、操作部１２で現在露出されている表示面（ここでは第１の表示面２１が露出しているものとする）の右側の保守用検出領域２６ａに対する接触があったか否かを判断する（ステップＳ１２）。保守用検出領域２６ａに対する接触がない状態であれば（ステップＳ１２のＮｏ）、制御装置１６は接触を検出するまで待つ。
【００４５】
保守用検出領域２６ａに対する接触があったことを検出した場合（ステップＳ１２でＹｅｓ）、制御装置１６は内部タイマをスタートさせる（ステップＳ１３）。そして、制御装置１６は、内部タイマが予め設定された時間（ここでは２秒とする）をカウントするまでの間に左側の保守検出領域２６ｂに対する接触があったか否かを判断する（ステップＳＳ１４，Ｓ１５）。
【００４６】
２秒経過するまでの間に保守検出領域２６ｂに対する接触が検出された場合（ステップＳ１５のＹｅｓ）、制御装置１６は、操作画面の入れ替え指示があったものと判断し、第１の表示面２１のボタン２３，２４，２５の表示領域に設定されていたタッチパネル１２ｂの入力検出領域を第２の表示面２２のボタン２７，２８，２９の表示領域に入れ替える（ステップＳ１６）。そして、制御装置１６は、この入れ替え後のボタン表示と入力検出領域の情報（位置座標）を内部の不揮発性メモリに記憶して、ここでの処理を終了する（ステップＳ１７）。
【００４７】
一方、２秒経過しても保守検出領域２６ｂに対する接触が検出された場合には（ステップＳ１４のＹｅｓ）、制御装置１６は、例えば「操作をやり直し下さい」といったエラーメッセージを操作部１２の所定の場所に表示するなどして、ここでの処理を終了する（ステップＳ１８）。
【００４８】
以上のような構成において、操作部１２のタッチパネル１２ｂの一部が損傷などの物理的な傷を受けて故障した場合などに保守員が行う復旧作業の手順について説明する。
【００４９】
今、操作部１２の現在利用可能な表示面すなわちフェースプレート１７から露出している表示面が第１の表示面２１であり、その第１の表示面２１の一部が使用できない状態（例えば、頻繁に押される戸閉ボタン２５が打鍵寿命により入力検出されない状態）になったとする。
【００５０】
エレベータの保守員は、所定の操作によりエレベータ制御装置７の運転モードを点検モードに切り替えた後、乗りかご４に乗り込み、以下のような操作を行う。
【００５１】
すなわち、まず、操作部１２の第１の表示面２１にある右側の保守検出領域２６ａに触れてから２秒以内に左側の保守検出領域２６ｂに触れる。このような操作を行うと、第１の表示面２１に設定されていた入力検出領域が第２の表示面２２のボタン表示に合わせて再設定され、そのボタン表示と入力検出領域の設定情報が制御装置１６の不揮発性メモリに記憶される。
【００５２】
続いて、保守員は制御装置１６および操作部１２の電源をＯＦＦし、フェースプレート１７から操作部１２を取り外し、上下を逆にして取り付ける。つまり、操作部１２の第１の表示面２１が露出していた状態だったので、上下を逆にして第２の表示面２２が露出するように取り付けることになる。
【００５３】
なお、操作部１２のコネクタは、例えば操作部１２の上下端の両方にあり、上下を逆に取り付けても、フェースプレート１７側に設けられたコネクタと接続できる構成になっている。
【００５４】
操作部１２の上下を逆に取り付けた後、電源を再投入すると、制御装置１６が不揮発性メモリに記憶されていた設定情報が読み込まれ、第２の表示面２２にボタン２７，２８，２９が表示されると共に、これらの表示領域にタッチパネル１２ｂの入力検出領域が設定されて利用可能な状態となる。
【００５５】
以後、エレベータの運転サービスが再開されたとき、この第２の表示面２２において、ボタン２３，２４，２５のいずれかに利用者が触れたときに、その触れたボタンに対応した処理が実行されることになる。
【００５６】
このようにして、操作部１２を構成するタッチパネル１２ｂの一部が故障した場合に、操作部１２を上下逆にして設置し直すだけの簡単な作業で、通常通りに使える状態にできる。したがって、部品交換などで、エレベータの運転を長く休止させなくて済む。さらに、２種類の操作パネルを個別に設置しておく方法に比べて、設置スペースも少なくて済む。
【００５７】
また、操作画面を入れ替えても、操作ボタンの配置が同じになるように工夫されているため、利用者は戸惑うことなく、同じ操作環境で呼び登録などを行うことができる。
【００５８】
なお、上記実施形態では、利用可能な表示面（ここでは第１の表示面２１）に設定された保守用検出領域２６ａ，２６ｂの２カ所を触れることで、操作画面を入れ替えるようにしたが、保守用検出領域２６ａ，２６ｂのどちらか１カ所を触れることで、操作画面を入れ替えるようにしても良い。
【００５９】
また、保守用検出領域２６ａ，２６ｂに対応したタッチパネル１２ｂの部分が故障した場合には、操作画面の入れ替えを指示できないといった不具合が生じる。そこで、図５に示すように、保守用検出領域２６ａ，２６ｂとは別に他方の表示面つまり第２の表示面２２にも同様の保守用検出領域３０ａ，３０ｂを設定しておき、この保守用検出領域３０ａ，３０ｂを操作いることで入れ替えを行う構成にしても良い。
【００６０】
この場合、第２の表示面２２の保守用検出領域３０ａ，３０ｂは、同画面上の他の操作ボタン２７，２８，２９とは違って、常に操作可能な状態にある。そして、操作部１２の上下を逆にして第２の表示面２２を露出させたときに、保守員が保守用検出領域３０ａ，３０ｂに対して上記同様の操作を行うと、操作画面の入れ替えが実行される。
【００６１】
また、別の方法として、操作部１２の所定の位置にスイッチ（ハードウェアスイッチ）を設置しておき、そのスイッチ操作によって操作画面の入れ替えを実行するようにしても良いし、保守員が携帯する保守点検用の端末装置を用い、その端末装置の操作によりエレベータ制御装置７に対して操作画面の入れ替え指示を送ることでも良い。
【００６２】
また、図６に示すように、特定の操作に関するガイダンス３１を操作部１２の利用可能な表示面に表示しても良い。このガイダンス３１は、操作部１２の所定の位置に設置された図示せぬスイッチを操作してときに表示される。このようなガイダンス６１を表示することで、保守員は円滑に作業を進めることができる。
【００６３】
以上述べた少なくとも１つの実施形態によれば、タッチパネルの一部が故障したときに交換部品の手配等を必要とせず、直ぐに操作可能な状態にしてエレベータの運転を継続することのできるエレベータの呼び登録装置を提供することができる。
【００６４】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１…乗場ドア、２…乗場呼び登録装置、３…伝送ケーブル、４…乗りかご、５…かご呼び登録装置、６…テールコード、７…エレベータ制御装置、１１…インジケータ、１２…操作部、１２ａ…ＬＣＤ、１２ｂ…タッチパネル、１３…表示制御部、１４…操作検出部、１５…入力処理部、１６…制御装置、１７…フェースプレート、２１…第１の表示面、２２…第２の表示面、２３…階床ボタン、２４…戸開ボタン、２５…戸閉ボタン、２６ａ，２６ｂ…保守検出領域、２７…階床ボタン、２８…戸開ボタン、２９…戸閉ボタン、３０ａ，３０ｂ…保守検出領域、３１…ガイダンス。
【図１】
2014051387.tif 000003
【図２】
2014051387.tif 000004
【図３】
2014051387.tif 000005
【図４】
2014051387.tif 000006
【図５】
2014051387.tif 000007
【図６】
2014051387.tif 000008